(57)【要約】【課題】  炊飯時等における水滴の付着，台所の油煙，埃などで汚れやすい外蓋の上面の清掃性を向上させた炊飯器を提供する。【解決手段】  本体１と、外蓋３と、内鍋２と、内鍋２の上面開口部を覆う内蓋４と、外蓋３と内蓋４の間に設けられ該内蓋４を加熱する蓋加熱手段７と、内蓋４に設けられた内蓋蒸気通路９と、外蓋３に設けられた蒸気口５と、該蒸気口５と内蓋蒸気通路９とを連通する蒸気通路２２とを備えた炊飯器において、外蓋３を内蓋４が取付けられる外蓋本体３ａと該外蓋本体３ａの上面に設けられた外蓋内カバー３ｂと、外蓋内カバー３ｂの蓋上面を覆う外蓋外カバー１５とで構成し、該外蓋外カバー１５は、基材１５ａの表面に外観色となる下塗り１５ｂを施し、該下塗り１５ｂの上に透明の紫外線硬化塗装１５ｃを施した。【選択図】図４
2009285233.tif 000002
【特許請求の範囲】
【請求項１】
本体と、該本体の上面開口部を覆う外蓋と、前記本体内に着脱自在に収納される内鍋と、前記外蓋の下面に設けられ前記内鍋の上面開口部を覆う内蓋と、前記外蓋と前記内蓋の間に設けられ該内蓋を加熱する蓋加熱手段と、前記内蓋に設けられた内蓋蒸気通路と、前記外蓋に設けられた蒸気口と、該蒸気口と前記内蓋蒸気通路とを連通する蒸気通路とを備えた炊飯器において、前記外蓋を前記内蓋が取付けられる外蓋本体と該外蓋本体の上面に設けられた外蓋内カバーと、該外蓋内カバーの蓋上面を覆う外蓋外カバーとで構成し、該外蓋外カバーは、基材の表面に外観色となる下塗りを施し、該下塗りの上に透明の紫外線硬化塗装を施したことを特徴とする炊飯器。
【請求項２】
前記外蓋外カバーの基材をＡＢＳ樹脂で構成し、その表面の下塗りは、厚膜を４〜５μｍの範囲内とし、該下塗りの上に透明の紫外線硬化塗装を施したことを特徴とする炊飯器。
【発明の詳細な説明】
【技術分野】
【０００１】
本発明は、炊飯時における水滴の飛び散りや、台所の油煙，埃などで汚れやすい外蓋上面の清掃性を良くした炊飯器に関するものである。
【背景技術】
【０００２】
従来から炊飯器の外蓋上面には、炊飯時における水滴の飛び散りや台所の油煙，埃などによる汚れを防止するため、外蓋上面の清掃性を向上させる工夫が施されている。
【０００３】
特許文献１に示すものは、蓋の表面にアルミニウムやステンレス鋼などの金属材料で構成した蓋表面部材を着脱自在に設けたものであり、該蓋表面部材を外して洗うことで簡単に汚れを落とすようにしたものである。
【０００４】
【特許文献１】特開２００３−２９００２６号公報
【発明の開示】
【発明が解決しようとする課題】
【０００５】
上記した従来技術において、特許文献１に示すものは、蓋の表面に設けた蓋表面部材を、アルミニウムやステンレス鋼などの金属材料で構成し、該蓋表面部材を外して洗えるようにしているが、アルミニウムやステンレス鋼の一般的な硬度は鉛筆硬度でＨＢ程度であるため、ナイロンたわしなどで擦ると、表面に細かな傷が付いてしまう問題があった。
【０００６】
また、一度傷が付くと、汚れが傷の中に入り込み、清掃しにくいという問題があった。
【０００７】
さらに、汚れが傷の中に入り込むと、清潔さがなくなるという問題があった。
【課題を解決するための手段】
【０００８】
本発明は、上記従来の課題を解決するためになされたものであり、請求項１では、本体と、該本体の上面開口部を覆う外蓋と、前記本体内に着脱自在に収納される内鍋と、前記外蓋の下面に設けられ前記内鍋の上面開口部を覆う内蓋と、前記外蓋と前記内蓋の間に設けられ該内蓋を加熱する蓋加熱手段と、前記内蓋に設けられた内蓋蒸気通路と、前記外蓋に設けられた蒸気口と、該蒸気口と前記内蓋蒸気通路とを連通する蒸気通路を備えた炊飯器において、前記外蓋を前記内蓋が取付けられる外蓋本体と該外蓋本体の上面に設けられた外蓋内カバーと、外蓋内カバーの蓋上面を覆う外蓋外カバーとで構成し、該外蓋外カバーは基材の表面に外観色となる下塗りを施し、該下塗りの上に透明の紫外線硬化塗装を施したものである。
【０００９】
また、請求項２では、前記外蓋外カバーの基材をＡＢＳ樹脂で構成し、その表面の下塗りは、厚膜を４〜５μｍの範囲内とし、該下塗りの上に透明の紫外線硬化塗装を施したものである。
【発明の効果】
【００１０】
上記本発明によれば、炊飯時における水滴の飛び散りや台所の油煙，埃などで汚れやすい外蓋の外蓋外カバーに紫外線硬化塗装を施し、塗装表面を硬く（鉛筆硬度で２Ｈ）保護することで、清掃時にナイロンたわしなどで強く擦っても細かい傷が付くことが無くなり、気楽に簡単に清掃が出来るものである。
【００１１】
また、外蓋外カバーの表面に傷が付くことが無いので、長期にわたって外蓋外カバーを清潔に保つことができる。
【００１２】
さらに、外蓋外カバーの下塗りの厚膜を４〜５μｍの範囲内で施し、上塗りにＵＶ塗装を施した場合には、両塗装後の乾燥時間が早く、しかも傷がつきにくいので、製造面や梱包，輸送面での効率も向上させることができる。
【発明を実施するための最良の形態】
【００１３】
以下、本発明の一実施例について図面を用いて詳細に説明する。
【００１４】
図１は本発明の炊飯器の側面外観図である。
【００１５】
図１において、１は炊飯器の本体である。本体１内には内鍋２が着脱自在に挿入されている。本体１の上面には、本体１と内鍋２の上面開口部を覆う内蓋４を備えた外蓋３が開閉自在に設けられている。
【００１６】
内蓋４の下面周縁部には、内鍋２の上端と密接するパッキン４ａが設けられ、内鍋２の上部開口を閉塞して密閉している。
【００１７】
本体１の前面上部には操作，表示を行うための操作部８が取付けられている。操作部８には、時刻表示や炊飯の進行状況，各種メニューの設定内容などを表示する液晶表示器などで構成された表示部と、炊飯の開始や各種メニュー，タイマー炊飯の設定などを行う複数の操作ボタンを配置している。
【００１８】
また、本体１には前後に回動可能なハンドル６が取付けられており、本体１を自由に持ち運ぶことができる。
【００１９】
図２は炊飯器の側面断面図、図３は外蓋を構成する外観部品を説明する分解斜視図、図４は外蓋外カバーの塗装の構成を説明する図である。
【００２０】
図２，図３，図４において、外蓋３は、本体１の上面開口部を覆うように成形された外蓋本体３ａと、外蓋本体３ａの上面に空間を保持して断熱性を持たせるように設けられた外蓋内カバー３ｂとで構成し、炊飯時や保温時に発生する熱が本体１の内部から外蓋３の上面に伝わるのを防いでいる。
【００２１】
そして、外蓋本体３ａと外蓋内カバー３ｂの内部には、外蓋３の変形等を防ぐための補強部材（図示無し）が備えられている。
【００２２】
外蓋内カバー３ｂの上面には外蓋３の外郭を構成し、外観色となる塗料が施された外蓋外カバー１５が取付けられている。
【００２３】
外蓋外カバー１５は、基材１５ａにＡＢＳ樹脂が用いられ、該ＡＢＳ樹脂の表面に外観色となる下塗り１５ｂを膜厚４〜５μｍの範囲で施し、乾燥後、その表面に透明な紫外線硬化塗装（以下ＵＶ塗装と言う）からなる上塗り１５ｃを１５μｍの範囲で施し、紫外線を数秒間照射して乾燥している。
【００２４】
基材１５ａのＡＢＳ樹脂と上塗り１５ｃ（ＵＶ塗装）は同等の熱膨張率を有しており、加熱された時の膨張率の違いによる塗料の剥離を防止している。
【００２５】
上塗り１５ｃのＵＶ塗装は、表面硬度が鉛筆硬度で２Ｈとアルミニウムやステンレス鋼の鉛筆硬度ＨＢに比べて硬いという特徴があり（ＪＩＳ規格では、硬度６Ｂから６Ｈに至るに従って硬度が増加する）、また、乾燥時間も大変短いという特徴があり、その特徴を生かすために、下塗り１５ｂも上塗り１５ｃと同様に短時間で乾燥出来るように、膜厚を４〜５μｍの範囲内で施すように管理する。下塗り１５ｂを厚膜４〜５μｍより更に薄くすると基材１５ａのＡＢＳ樹脂の色が透けて見え、逆に厚く塗ると生産時間の範囲で未乾燥になる問題が発生する。
【００２６】
外蓋３の下面には蓋加熱ヒータ７ａと該蓋加熱ヒータ７ａによって加熱される内蓋加熱板７ｂとで構成される蓋加熱手段７が設けられ、該蓋加熱手段７によって内蓋４の全面を均等に加熱する。
【００２７】
また、外蓋３は、ヒンジ軸２０によって本体１に開閉自在に支持されている。
【００２８】
本体１の底部および側部には、内鍋２を加熱するための加熱手段１１が設けられており、これらは加熱コイルで構成され、対向する内鍋２の部位を誘導加熱する。
【００２９】
操作部８の下方には制御部１２が配置されており、該制御部１２は、加熱手段１１と蓋加熱ヒータ７ａの加熱を制御して自動的に火力を調節する。
【００３０】
本体１内の下部には内鍋２の外側底部に当接するように温度センサー１４が設けられ、該温度センサー１４によって検知した内鍋２底部の温度情報を制御部１２に入力する。
【００３１】
前記制御部１２は、温度センサー１４からの内鍋２の温度情報によって加熱手段１１，蓋加熱ヒータ７ａの動作を制御する。
【００３２】
内鍋２は内蓋４の周縁部に設けられたパッキン４ａで閉塞され、密閉空間で発生する水蒸気は、内蓋４に設けられた内蓋蒸気通路９と、内蓋加熱板７ｂと蒸気通路パッキン２１で閉塞された蒸気通路２２と、外蓋３を貫通して外部と連通する蒸気口５を通して外部に放出される。内蓋蒸気通路９と蒸気通路２２の間には調圧手段（鋼球）１０が設けられている。
【００３３】
調圧手段１０は、内蓋４から通路を狭くして形成した内蓋蒸気通路９に、該内蓋蒸気通路９を塞ぐように鋼球が乗せられている構成としている。そして内鍋２内部の蒸気圧が所定圧力より高まると、その蒸気圧により調圧手段１０が持ち上げられて蒸気口５から圧力が抜け、その圧力が所定圧力より低くなると再び調圧手段１０が内蓋蒸気通路９を塞いで蒸気圧が高まる。この繰り返しで内鍋２と内蓋４内の圧力が一定圧力に調整される。
【００３４】
蒸気口５は、外蓋３を貫通して蒸気通路２２に連結され、炊飯中に発生する蒸気が外蓋外カバー１５に直接掛からないようになっている。
【００３５】
次に実際の使用手順に添って炊飯から蒸らし工程までの動作を説明する。
【００３６】
使用者は内鍋２に所要量の洗米した米と水加減した適量の水を入れ、本体１内に収納し、外蓋３を閉じる。
【００３７】
次に、操作部８にある操作ボタンを操作することによって、炊飯が開始される。炊飯はいわゆる「始めチョロチョロ中パッパ」の言い伝えの如く、火加減が重要であり、制御部１２に収められた炊飯プログラムに従って、温度センサー１４の温度情報を基に炊飯量に応じて加熱手段１１と蓋加熱ヒータ７ａを制御して内鍋２が加熱される。
【００３８】
やがて、内鍋２内が沸騰すると、調圧手段１０によって調圧機能が働き、蒸気通路２２を通った蒸気は蒸気口５から噴出し蒸気量を調整することで、内鍋２の内部を一定の圧力に保つ。
【００３９】
なお、この時、蒸気口５から噴出した蒸気は、本体１の外側上方に噴出し、その上方に棚板等がある場合には、そこで冷やされて水滴となり、自然落下して外蓋外カバー１５の表面に付着し、該表面を汚すことがある。この水滴処理については後述する。
【００４０】
内鍋２の加熱が更に進むと、米が水を吸って内鍋２内部の水がなくなり、それとともに内鍋２の底部の温度が急上昇し、この急上昇を温度センサー１４で検出して、その温度情報を制御部１２に伝え、次の蒸らし工程に移行する。さらに、蒸らし工程が終了すると保温工程に移行し、内鍋２内のご飯を食する状態となる。
【００４１】
炊飯器を使用し終わった後には、内鍋２と内蓋４を外して洗い、外蓋外カバー１５の表面に付着した水滴やほこり等は、ＵＶ塗装した外蓋外カバー１５を拭くことで簡単に清掃を終了することができる。
【００４２】
また、炊飯器をしばらく使用しないで放置され、外蓋外カバー１５の上面が油煙や埃で汚れている場合にも、上塗り１５ｃにＵＶ塗装が施され、塗装表面が非常に硬く傷が付きにくいので、傷が付くのを恐れずに清掃することができ、この際頑固な汚れでもナイロンたわしを使用して簡単に清掃することができる。
【００４３】
以上のように、本実施例によれば、炊飯時における水滴や台所の油煙，埃等で汚れやすい外蓋上面の外蓋外カバー１５に紫外線硬化塗装を施し、塗装表面を硬く保護することで、清掃時にナイロンたわしなどで強く擦っても細かい傷が付くことが無くなり、気楽に簡単に清掃が出来るものである。
【００４４】
また、外蓋外カバー１５は、清掃によって表面に傷が付くことが無いので、長期にわたってきれいに保つことができる。
【００４５】
また、外蓋外カバー１５の表面をアルミニウムやステンレス鋼などの金属材料で構成した場合は、炊飯終了後の清掃のみならず、製造や梱包，輸送の段階においても表面に傷が付かないように細心の配慮が必要となるが、上塗り１５ｃにＵＶ塗装を施した場合には、下塗り１５ｂの厚膜を４〜５μｍの範囲内で塗布し、短時間で乾燥した後、上塗り１５ｃのＵＶ塗装も短時間で乾燥することができ、しかも傷がつきにくいので、製造面や梱包，輸送面での効率も向上させることができる。
【図面の簡単な説明】
【００４６】
【図１】本発明に係る炊飯器の側面外観図である。
【図２】同炊飯器の側面断面図である。
【図３】同炊飯器の外蓋を構成している外観部品の分解斜視図である。
【図４】同炊飯器の外蓋外カバーの塗装部の説明図である。
【符号の説明】
【００４７】
１  本体
２  内鍋
３  外蓋
４  内蓋
５  蒸気口
７  蓋加熱手段
１１  加熱手段
１５  外蓋外カバー
１５ａ  基材
１５ｂ  下塗り
１５ｃ  上塗り（ＵＶ塗装）
【図１】
2009285233.tif 000003
【図２】
2009285233.tif 000004
【図３】
2009285233.tif 000005
【図４】
2009285233.tif 000006